(57)【要約】      （修正有）【課題】  惣菜類を収納するときその油分や汁がバッグの外面に付着することがないとともに惣菜類をスムーズにバッグ内に収納させることを可能とする包装袋の提供。【解決手段】  プラスチックフィルムにより形成され一端が開口されたバッグであって、開口部からその両側端が所要長さにわたりスリット２により分離されて一対の開口片３，３とされており、前記スリット２，２の終端に切欠からなる裂け止め部４，４を形成した。【選択図】  図２
2006298451.tif 000002
【特許請求の範囲】
【請求項１】
プラスチックフィルムにより形成され一端が開口されたバッグであって、開口部からその両側端が所要長さにわたりスリットにより分離されて一対の開口片とされており、前記スリットの終端に切欠からなる裂け止め部が形成されていることを特徴とする包装袋。
【請求項２】
プラスチックフィルムにより形成され一端が開口されたバッグであって、開口部からその両側端が所要長さにわたり一対の開口片を形成可能に引き裂き可能な引き裂き容易部が形成されており、前記引き裂き容易部の終端に切欠からなる裂け止め部が形成されていることを特徴とする包装袋。
【請求項３】
前記バッグの底部は、プラスチックフィルムに吸湿性シートを積層してバッグの幅方向に山折りにより２つ折りされてその両端がバッグの側端縁にヒートシールされており、惣菜類の商品を収納したとき前記吸湿性シートおよび底部のプラスチックフィルムが展張してその吸湿性シート面で商品を受け止めるとともにバッグに自立性が与えられるようになされている請求項１または請求項２のいずれかに記載の包装袋。
【請求項４】
前記吸湿性シートが不織布である請求項３記載の包装袋。
【請求項５】
前記開口片の対向面の適所に粘着、ファスナ等により接合する封止部が形成されている請求項１〜４のいずれか１項記載の包装袋。
【発明の詳細な説明】
【技術分野】
【０００１】
本発明は、惣菜類の販売時に用いられる包装袋に関する。
【背景技術】
【０００２】
スーパーマーケットやコンビニエンスストアをはじめ、デパートの食品売場などにおいて、天ぷら、各種フライ、野菜の煮付け、サラダ、その他油分や汁を含む惣菜類を販売する際にショーバッグと称されるプラスチックフィルム製の小袋に惣菜類を収納して顧客に提供するようになされている。
【０００３】
従来から用いられているショーバッグは、プラスチックフィルムを重ね、一端を開放し３辺がシールされた袋構造とされており、その開口部を開けて惣菜等を入れ、顧客に手渡すようになされている。
【０００４】
しかるに上記の袋構造によるものでは、開口部をひらいて惣菜類を収納するとき開口部を開けてもバッグの両側縁がヒートシールされているので広く開けることができず、惣菜の油分や汁がバッグの開口部の内外面に付着しやすく、特に外面に付着すると手がベトついて扱いにくいものとなる。
【０００５】
なかにはバッグをガゼット付きの角底袋とし、惣菜類を紙トレー等に入れたうえでバッグ内に収納するようになされたものもあるが、これによるとバッグ自体の構造が複雑になるため製造コストが嵩むばかりでなく、バッグの素材の使用量が多くなり、勢いバッグが高価になるという問題がある。
【特許文献１】特開２００１−１９９４５１号公報
【発明の開示】
【発明が解決しようとする課題】
【０００６】
本発明は、惣菜類を収納するときその油分や汁がバッグの外面に付着することがなく、かつ惣菜類をスムーズにバッグ内に収納させることができ、持ち帰る際に油分や汁が他の荷物や衣服に付着することがないようにした包装袋を提供することを課題とする。
【０００７】
また油分や汁を含む惣菜類を収納したのちその油分を吸収して惣菜類の風味を損うことを防ぐことができる包装袋を提供することを課題とする。
【０００８】
また包装の作業効率を大幅の改善することを可能にする包装袋を提供することを課題とする。
【課題を解決するための手段】
【０００９】
上記課題を解決する手段として本発明は、プラスチックフィルムにより形成され一端が開口されたバッグであって、開口部からその両側端が所要長さにわたりスリットにより分離されて一対の開口片とされており、前記スリットの終端に切欠からなる裂け止め部を形成したことにある。
【００１０】
また、プラスチックフィルムにより形成され一端が開口されたバッグであって、開口部からその両側端が所要長さにわたり一対の開口片を形成可能に引き裂き可能な引き裂き容易部が形成されており、前記引き裂き容易部の終端に切欠からなる裂け止め部が形成したことにある。
【００１１】
上記バッグの底部は、プラスチックフィルムに吸湿性シートを積層してバッグの幅方向に山折りにより２つ折りしてその両端をバッグの側端縁にヒートシールし、惣菜類の商品を収納したとき前記吸湿性シートおよび底部のプラスチックフィルムが展張してその吸湿性シート面で商品を受け止めるとともにバッグに自立性が与えられるようにすることができる。
【００１２】
前記吸湿性シートは、吸湿紙等であってもよいが、好ましくはシール性を考慮して不織布を用いるのがよい。
【００１３】
また前記開口片の対向面の適所に粘着、ファスナ等により接合する封止部を設けることが開口部を確実に閉鎖させるうえで望ましい。
【発明の効果】
【００１４】
本発明によれば、惣菜類を収納するとき一対の開口片を開けるようにすれば両開口片がシュートとしての機能を奏してその内面にそって惣菜類を内部に収納させることができるので、バッグの外面に油分や汁が付着することがなく、バッグの外面を汚してしまうことが防がれ、持ち帰る際に荷物を汚すことも防がれる。
【００１５】
開口部からその両側端が所要長さにわたり一対の開口片を形成可能に引き裂き可能な引き裂き容易部が形成されているので、引き裂き容易部を引き裂く場合には上述のように一対の開口片を開けるようにして両開口片がシュートとしての機能を奏してその内面にそって惣菜類を内部に収納させることができ、また引き裂き容易部を引き裂かない場合にはバッグを縦幅の深い袋として機能させることができ、引き裂き容易部を引き裂くか引き裂かないかによって、包装される内容物の大きさや種類によって二種類の機能を使いわけることができる。
【００１６】
また開口片の付根部分に切欠からなる裂け止め部が設けられているので、開口片を強い力で広げられたとしてもバッグの側縁が裂けてしまうことがない。
【００１７】
一方、バッグの底部のフィルムに吸湿性シートを積層して山折り状に２つ折りし、その両端をバッグの側端縁にヒートシールする構成とすれば、バッグの開口部から惣菜類を収納することにより吸湿性シートおよび底部フィルムが平坦状に展張して受け入れることができるのでトレー等に惣菜類を入れてバッグに収納させるような必要がなく、店頭での迅速な包装が可能となり、またトレー等を必要としないので包材費が少くてすみ、販売コストの低減を図ることができる。
【００１８】
さらに惣菜類を収納することで吸湿性シートおよび底部フィルムが平坦状に展張することにより、ガゼット付きのバッグとせずともバッグの下端が立体的な形態となって自立性が与えられ、取り扱いが便利になる。
【００１９】
また惣菜類を収納するとき一対の開口片を開けるようにすれば両開口片がシュートとしての機能を奏してその内面にそって惣菜類を内部に収納させることができるので、包装の作業効率を大幅の改善することができる。
【発明を実施するための最良の形態】
【００２０】
図１は本発明による包装袋としてのショーバッグの一実施形態の正面図を示し、図２は該バッグ内に惣菜類を収納する際に開口部を開けた状態の斜視図を示している。
【００２１】
バッグ１は透明なプラスチックフィルムにより一端が開口された袋とされ、その開口端から両側端に所要長さのスリット２，２が入れられて分離され、一対の開口片３，３が形成されている。
【００２２】
前記スリット２，２の終端位置には半円形状の切欠からなる裂け止め部４，４が形成されており、また前記開口片３，３には手提げ用の手掛け孔５，５が穿設されている。そして開口片３，３の対向面には開口部を封止するための粘着またはファスナによる封止部６，６が設けられている。
【００２３】
図示の実施形態におけるバッグ１の底部は、図３にみられるように底部フィルム７に吸湿性シートとしての不織布８が積層されてバッグ１の幅方向に山折りにより２つ折りされ、その両端がバッグ１の側縁のシールと一緒にヒートシール９，９により一体化されてバッグ１の底が形成されており、惣菜類１０を収納したとき不織布８および底部フィルム７が図３に示すように平坦状に展張して惣菜類１０を受け止めるとともに底が広がって立体化され、自立性が与えられるようになっている。なお吸湿性シートは不織布に限らず、吸湿紙であってもよい。
【００２４】
したがって店頭で惣菜類１０を包装するとき、図２および図４（Ａ）に示すように一対の開口片３，３を開き、その間から惣菜類１０を収納するようにすれば、開口片３，３の内面がシュート状となって惣菜類１０が誘導され、スムーズに収納することができる。これによりバッグ１の外面に油分や汁が付着してバッグ１の外面を汚してしまうことがない。
【００２５】
収納された惣菜類１０は、図４（Ｂ）に示すように不織布８および底部フィルム７が平坦状に展張して受け入れられるので安定した状態に収納することができ、かつ惣菜類１０の油分などは不織布８に吸収されるので惣菜類１０がベトついてしまうことがなく、あるいはベトついたとしてもベト付きの程度を緩和させ、風味を損うことが防がれる。
【００２６】
また惣菜類１０を収納することで不織布８および底部フィルム７が展張するのでバッグ１の下端が広がって自立性が与えられ、取り扱いやすい形態となる。
【００２７】
惣菜類１０の収納後は、図４（Ｃ）のように封止部６，６により開口片３，３を閉じ、手掛け孔５，５に手指を通して持つことができる。
【００２８】
次に、図５を参照して本発明による包装袋の他の実施形態について説明する。図５に示すバッグ１１は、引き裂き容易部としてミシン目１２が形成されている。ミシン目１２は開口部からその両側端が所要長さにわたり形成されており、ミシン目１２を引き裂くと分離して一対の開口片１３が形成されるようになっている。ミシン目１２を引き裂かない場合には、一対の開口片１３は円筒状の形状をなし、バッグ１１は縦幅の深い袋として機能することができる。この場合、開口部の広口性は必要でないが袋の長い深さが必要とされる場合に便利である。また、ミシン目１２を引き裂く場合には、バッグ１１は図１示したバッグ１と同様に機能することができる。このように、バッグ１１は、ミシン目１２を引き裂くか引き裂かないかによって、包装される内容物の大きさや種類によって二種類の機能をつかいわけることができる。
【００２９】
なお、引き裂き容易部としては、ミシン目１２の他に細幅テープ等のように容易に引き裂きできるものであればよい。
【００３０】
上述の説明において、包装袋の一形態としてショーバッグを例にとり説明したが、本願発明の包装袋としては、ショーバッグに限らず、買い物袋等の搬送用の包装袋であってもよい。
【００３１】
また、本願発明の説明において用いた吸湿性シートという用語は、水分のみを吸収可能であるということを意味するのではああなく、水分以外の他の成分である魚類や肉類からしみ出るドリップや天ぷら等の油などをも吸収可能であることを意味する。
【図面の簡単な説明】
【００３２】
【図１】本発明による包装袋の一実施形態を示す正面図。
【図２】同、開口片を開いた状態を示す斜視図。
【図３】同、底部の構造を示し、底部が展張した状態を示す部分断面図。
【図４】（Ａ）〜（Ｃ）は包装過程を示す説明図。
【図５】本発明による包装袋の他の実施形態を示す正面図。
【符号の説明】
【００３３】
１  バッグ
２  スリット
３  開口片
４  裂け止め部
５  手掛け孔
６  封止部
７  底部フィルム
８  吸湿性シートとしての不織布
９  ヒートシール
１０  惣菜類
１１  バッグ
１２  引き裂き容易部（ミシン目）
１３  開口片
【図１】
2006298451.tif 000003
【図２】
2006298451.tif 000004
【図３】
2006298451.tif 000005
【図４】
2006298451.tif 000006
【図５】
2006298451.tif 000007